【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
複数のユーザー端末側とネットワークを介して接続されたサーバー側に備えられた（「備えられた」は「接続された」状態をも含む。以下同じ）辞書データ記録手段であって、各ユーザーの端末側から入力または送信された『読み』に基づいて、各ユーザー又は各ユーザー端末のために、前記の入力または送信された「読み」に対応する「語句もしくは文章、又はその語句もしくは文章の１つもしくは複数の候補」を、読み出し、抽出、又は検索可能な辞書データ記録手段、
を備えたことを特徴とする、日本語や中国語などの漢字を含む言語による語句または文章の入力のためのシステム。
【請求項２】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記サーバー側の辞書データ記録手段に記録された前記共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、記録しておく辞書データ記録手段であって、各ユーザーの端末側から入力または送信された『読み』に基づいて、各ユーザー又は各ユーザー端末のために、前記の入力または送信された「読み」に対応する「語句もしくは文章、又はその語句もしくは文章の１つもしくは複数の候補」を、読み出し、抽出、又は検索可能な辞書データ記録手段、
を備えたことを特徴とする、日本語や中国語などの漢字を含む言語による語句または文章の入力のためのシステム。
【請求項４】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記サーバー側の辞書データ記録手段に記録された前記共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項５】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、記録しておく使用頻度データ記録手段と、
を備えたことを特徴とする、日本語や中国語などの漢字を含む言語による語句または文章の入力のためのシステム。
【請求項６】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項７】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記サーバー側の辞書データ記録手段に記録された前記共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項８】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、それぞれ、ユーザーの識別データと対応付けて記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーの識別データに対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項９】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、それぞれ、前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーに関する属性データに対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１０】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、それぞれ、前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーの又はその入力内容に関する『分野、分類、またはカテゴリ』に対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１１】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、それぞれ、
（ａ）前記ユーザーの識別データと対応付けて、
（ｂ）前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、又は、
（ｃ）前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、
記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、（ａ）前記或るユーザーの識別データ、（ｂ）前記或るユーザーに関する属性データ、又は（ｃ）前記或るユーザーの又はその入力内容の『分野、分類、またはカテゴリ』」に対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１２】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記サーバー側の辞書データ記録手段に記録された前記共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１３】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、それぞれ、ユーザーの識別データと対応付けて記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーの識別データに対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１４】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、それぞれ、前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用のユーザー辞書データであって、前記或るユーザーに関する属性データに対応または関連する共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１５】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、それぞれ、前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーの又はその入力内容に関する『分野、分類、またはカテゴリ』に対応または関連する共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１６】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、それぞれ、
（ａ）前記ユーザーの識別データと対応付けて、
（ｂ）前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、又は、
（ｃ）前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、
記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用のユーザー辞書データであって、（ａ）前記或るユーザーの識別データ、（ｂ）前記或るユーザーに関する属性データ、又は（ｃ）前記或るユーザーの又はその入力内容の『分野、分類、またはカテゴリ』」に対応または関連する共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１７】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１８】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、それぞれ、各ユーザーの識別データと対応付けて記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている前記共用の使用頻度データであって、前記或るユーザーの識別データに対応する共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項１９】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、それぞれ、前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている前記共用の使用頻度データであって、前記或るユーザーに関する属性データに対応または関連する共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項２０】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、それぞれ、前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている前記共用の使用頻度データであって、前記或るユーザーの又はその入力内容に関する『分野、分類、またはカテゴリ』に対応または関連する共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項２１】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、それぞれ、
（ａ）前記ユーザーの識別データと対応付けて、
（ｂ）前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、又は、
（ｃ）前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、
記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている前記共用の使用頻度データであって、（ａ）前記或るユーザーの識別データ、（ｂ）前記或るユーザーに関する属性データ、又は（ｃ）前記或るユーザーの又はその入力内容の『分野、分類、またはカテゴリ』に対応または関連する共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項２２】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、記録しておく辞書データ記録手段であって、各ユーザーの端末側から入力または送信された『読み』に基づいて、各ユーザー又は各ユーザー端末のために、前記の入力または送信された「読み」に対応する「語句もしくは文章、又はその語句もしくは文章の１つもしくは複数の候補」を、読み出し、抽出、又は検索可能な辞書データ記録手段、
を備えたことを特徴とする、日本語や中国語などの漢字を含む言語による語句または文章の入力のためのシステム。
【請求項２３】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記サーバー側の辞書データ記録手段に記録された前記共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項２４】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、記録しておく辞書データ記録手段であって、各ユーザーの端末側から入力または送信された『読み』に基づいて、各ユーザー又は各ユーザー端末のために、前記の入力または送信された「読み」に対応する「語句もしくは文章、又はその語句もしくは文章の１つもしくは複数の候補」を、読み出し、抽出、又は検索可能な辞書データ記録手段、
を備えたことを特徴とする、日本語や中国語などの漢字を含む言語による語句または文章の入力のためのシステム。
【請求項２５】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記サーバー側の辞書データ記録手段に記録された前記共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項２６】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、記録しておく使用頻度データ記録手段と、
を備えたことを特徴とする、日本語や中国語などの漢字を含む言語による語句または文章の入力のためのシステム。
【請求項２７】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項２８】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記サーバー側の辞書データ記録手段に記録された前記共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項２９】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、それぞれ、ユーザーの識別データと対応付けて記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーの識別データに対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３０】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、それぞれ、前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーに関する属性データに対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３１】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、それぞれ、前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーの又はその入力内容に関する『分野、分類、またはカテゴリ』に対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３２】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）の少なくとも一部を、複数のユーザー又は複数のユーザー端末のための「共用の辞書データ」として、それぞれ、
（ａ）前記ユーザーの識別データと対応付けて、
（ｂ）前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、又は、
（ｃ）前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、
記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、（ａ）前記或るユーザーの識別データ、（ｂ）前記或るユーザーに関する属性データ、又は（ｃ）前記或るユーザーの又はその入力内容の『分野、分類、またはカテゴリ』」に対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３３】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記サーバー側の辞書データ記録手段に記録された前記共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３４】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、それぞれ、ユーザーの識別データと対応付けて記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーの識別データに対応または関連する共用の辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３５】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、それぞれ、前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用のユーザー辞書データであって、前記或るユーザーに関する属性データに対応または関連する共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３６】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、それぞれ、前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用の辞書データであって、前記或るユーザーの又はその入力内容に関する『分野、分類、またはカテゴリ』に対応または関連する共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３７】
複数のユーザー端末側とネットワークを介して接続されたサーバー側に備えられた（「備えられた」は「接続された」状態をも含む。以下同じ）辞書データ記録手段であって、「１人又は複数のユーザーの端末側から入力または送信された、『語句または文章、及び／又は、その語句または文章に対応する読み』を含むユーザー辞書データ」（日本語の辞書データだけでなく、中国語などの漢字を含む外国言語のユーザー辞書データをも含む）の少なくとも一部を、複数のユーザー又は複数のユーザー端末のための「共用のユーザー辞書データ」として、それぞれ、
（ａ）前記ユーザーの識別データと対応付けて、
（ｂ）前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、又は、
（ｃ）前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、
記録しておく辞書データ記録手段と、
ネットワークに接続された各ユーザー端末側に備えられ又は前記各ユーザー端末側とネットワークを介して接続されたサーバー側に備えられた語句提示等手段であって、「或るユーザーの端末側から入力または送信された『読み』」に基づいて、少なくとも「前記のサーバー側に備えられた辞書データ記録手段に記録されている前記共用のユーザー辞書データであって、（ａ）前記或るユーザーの識別データ、（ｂ）前記或るユーザーに関する属性データ、又は（ｃ）前記或るユーザーの又はその入力内容の『分野、分類、またはカテゴリ』」に対応または関連する共用のユーザー辞書データ」から、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３８】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項３９】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、それぞれ、各ユーザーの識別データと対応付けて記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている前記共用の使用頻度データであって、前記或るユーザーの識別データに対応する共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項４０】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、それぞれ、前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている前記共用の使用頻度データであって、前記或るユーザーに関する属性データに対応または関連する共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項４１】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、それぞれ、前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている前記共用の使用頻度データであって、前記或るユーザーの又はその入力内容に関する『分野、分類、またはカテゴリ』に対応または関連する共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。
【請求項４２】
複数のユーザー端末側とネットワークを介して接続されたサーバー側に備えられた（「備えられた」は「接続された」状態をも含む。以下同じ）辞書データ記録手段であって、「語句または文章、及び／又は、その語句または文章に対応する読み」を含む辞書データ（日本語の辞書データだけでなく、中国語などの漢字を含む外国言語の辞書データをも含む）を記録しておく辞書データ記録手段と、
複数のユーザー端末側とネットワークを介して接続されたサーバー側に備えられた使用頻度データ記録手段であって、「１人又は複数のユーザーの端末側から入力または送信された、或る『読み』とそれに対応する語句もしくは文章について、それらを前記ユーザーがどれだけ頻繁に繰り返し使用、入力または選択したかを示す使用頻度データ」の少なくとも一部を、複数のユーザー又は複数のユーザー端末のための「共用の使用頻度データ」として、それぞれ、
（ａ）前記ユーザーの識別データと対応付けて、
（ｂ）前記各ユーザーに関する属性データ（各ユーザーが希望する属性データまたは各ユーザー自身の属性データであって、前記各ユーザー側から入力または送信された、前記サーバー側が取得した、又は前記サーバー側が予め記録していた、属性データ）と関連付けて、又は、
（ｃ）前記各ユーザーまたはそのユーザーが入力する内容に関する『分野、分類、またはカテゴリ』（前記各ユーザーによる入力作業または入力内容に関する又は前記各ユーザーが希望する『分野、分類、またはカテゴリ』であって、前記各ユーザー側から入力または送信された、前記サーバー側が取得した、又は前記サーバー側が予め記録していた、『分野、分類、またはカテゴリ』）と関連付けて、
記録しておく使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力または送信された『読み』」に基づいて、且つ、少なくとも「前記のサーバー側に備えられた使用頻度データ記録手段に記録されている前記共用の使用頻度データであって、（ａ）前記或るユーザーの識別データ、（ｂ）前記或るユーザーに関する属性データ、又は（ｃ）前記或るユーザーの又はその入力内容の『分野、分類、またはカテゴリ』に対応または関連する共用の使用頻度データ」に基づいて、前記のサーバー側に備えられた辞書データ記録手段の辞書データから、前記の入力または送信された「読み」に対応する「語句もしくは文章、又はその語句もしくは文章の１つもしくは複数の候補」を、抽出、選択または決定する又は前記ユーザーに提示する、語句提示等手段と、
を備えたことを特徴とする、日本語や中国語などの漢字を含む言語による語句または文章の入力のためのシステム。